(57)【要約】【課題】光学フィルタを有する光学系に於いて、光軸方向の長さを短くし、光学系全体として光軸方向の厚さを薄くすることができる電子的撮像装置を提供することである。【解決手段】複数の光学素子を光軸方向に配設したカメラのレンズ鏡筒は、被写体からの光束を撮像するためのＣＣＤ４０と、このＣＣＤ４０を保持するためにその周囲に形成されたＣＣＤホルダ３０と、上記ＣＣＤ４０の前面部に配置されたローパスフィルタ３７とを有している。そして、上記ローパスフィルタ３７を保持して固定する板状の部材であるローパスフィルタホルダ３５が、その一端がＣＣＤ４０側の面で絞り３６を介して上記ローパスフィルタ３７と当接し、他端が上記ＣＣＤ４０とは反対側の面で上記ＣＣＤホルダと当接して設けられている。【選択図】      図１
2006067356.tif 000002
【特許請求の範囲】
【請求項１】
撮影レンズを通過してきた被写体光束を電気信号に変換する撮像素子と、
上記撮像素子の被写体側の前面に配置された光学フィルタと、
上記撮影レンズの光軸と略平行な基部と、当該基部の一端から上記撮影レンズの光軸と垂直な方向であって、当該撮影レンズの光軸から離れる方向へ延出された第１の延出部と、当該基部の他端から上記撮影レンズの光軸と垂直な方向であって、当該撮影レンズの光軸の方向へ延出された第２の延出部と、から成り、断面形状が少なくとも２つの屈曲部を有して、当該第２の延出部で上記光学フィルタを保持する第１の保持部材と、
上記第１の保持部材に設けられた上記第１の延出部を保持する第２の保持部材と、
を具備し、
上記光学フィルタは、当該光学フィルタの被写体側の面と上記第２の保持部材の被写体側の面とが略同一面となるように上記第１の保持部材を介して当該第２の保持部材に取り付けられていることを特徴とする電子的撮像装置。
【請求項２】
上記第１の保持部材は、薄板状の金属部材を折り曲げて形成されたものであることを特徴とする請求項１に記載の電子的撮像装置。
【請求項３】
上記第１の保持部材の第１の延出部は、上記基部に於いて上記撮像素子側の端部から延出して設けられ、上記第１の保持部材の第２の延出部は、被写体側の端部から延出して設けられていることを特徴とする請求項１に記載の電子的撮像装置。
【請求項４】
上記光学フィルタを上記第１の保持部材に押圧するための弾性部材が、上記第２の保持部材に設けられていることを特徴とする請求項３に記載の電子的撮像装置。
【請求項５】
上記撮影レンズは、装置本体に沈胴する沈胴位置と、撮影時に撮影可能な撮影位置と、に移動可能な沈胴式のレンズであることを特徴とする請求項１に記載の電子的撮像装置。
【請求項６】
上記第２の保持部材は、上記光学フィルタを保持する端部とは反対側の端部で上記撮像素子を保持していることを特徴とする請求項１に記載の電子的撮像装置。
【発明の詳細な説明】
【技術分野】
【０００１】
本発明は電子的撮像装置に関し、より詳細にはカメラのレンズ鏡筒内の光学素子を固定する機構の改良に関するものである。
【背景技術】
【０００２】
従来より、光学素子をレンズ保持機構によって保持する機構について、種々の提案がなされている。
【０００３】
図１０は、従来の光学素子の保持機構の構成例を示した断面図である。
【０００４】
図１０に於いて、ＣＣＤ１上には、シール部材２及びＣＣＤゴム３を介してローパスフィルタ４が配されている。そして、このローパスフィルタ４は、例えば樹脂性部材で構成されたローパスフィルタホルダ６によって保持されている。このローパスフィルタホルダ６は、例えば図１０に示されるように、内側に段部を有した形状で、且つ、その先端の保持部６ａが開口を有すると共にレンズ群７側に突出さるように形成されている。そして、上記保持部６ａと段部の内側に当接して、ローパスフィルタ４が固定されている。
【０００５】
しかしながら、図１０に示される構造では、ローパスフィルタ４をローパスフィルタホルダ６に直接取り付けていたので、ローパスフィルタ４の前面よりローパスフィルタホルダ６の肉厚分、光軸方向に厚くなってしまっていた。そのため、ゴーストが発生しやすいものとなっていた。
【０００６】
これを解決するために、例えば、金属製部材でレンズを保持し、樹脂性のガイド部材と一体化させる技術が知られている（例えば、特許文献１参照）。
【特許文献１】特開２００３−３５８５４号公報
【発明の開示】
【発明が解決しようとする課題】
【０００７】
ところが、上記特許文献１には、光軸方向の長さを短くすることは考慮されていないものであった。
【０００８】
したがって本発明は、上記実状に鑑みてなされたものであり、光学フィルタを有する光学系に於いて、光軸方向の長さを短くし、光学系全体として光軸方向の厚さを薄くすることができる電子的撮像装置を提供することを目的とする。
【課題を解決するための手段】
【０００９】
すなわち、請求項１に記載の発明は、撮影レンズを通過してきた被写体光束を電気信号に変換する撮像素子と、上記撮像素子の被写体側の前面に配置された光学フィルタと、上記撮影レンズの光軸と略平行な基部と、当該基部の一端から上記撮影レンズの光軸と垂直な方向であって、当該撮影レンズの光軸から離れる方向へ延出された第１の延出部と、当該基部の他端から上記撮影レンズの光軸と垂直な方向であって、当該撮影レンズの光軸の方向へ延出された第２の延出部と、から成り、断面形状が少なくとも２つの屈曲部を有して、当該第２の延出部で上記光学フィルタを保持する第１の保持部材と、上記第１の保持部材に設けられた上記第１の延出部を保持する第２の保持部材と、を具備し、上記光学フィルタは、当該光学フィルタの被写体側の面と上記第２の保持部材の被写体側の面とが略同一面となるように上記第１の保持部材を介して当該第２の保持部材に取り付けられていることを特徴とする。
【００１０】
請求項２に記載の発明は、請求項１に記載の発明に於いて、上記第１の保持部材は、薄板状の金属部材を折り曲げて形成されたものであることを特徴とする。
【００１１】
請求項３に記載の発明は、請求項１に記載の発明に於いて、上記第１の保持部材の第１の延出部は、上記基部に於いて上記撮像素子側の端部から延出して設けられ、上記第１の保持部材の第２の延出部は、被写体側の端部から延出して設けられていることを特徴とする。
【００１２】
請求項４に記載の発明は、請求項３に記載の発明に於いて、上記光学フィルタを上記第１の保持部材に押圧するための弾性部材が、上記第２の保持部材に設けられていることを特徴とする。
【００１３】
請求項５に記載の発明は、請求項１に記載の発明に於いて、上記撮影レンズは、装置本体に沈胴する沈胴位置と、撮影時に撮影可能な撮影位置と、に移動可能な沈胴式のレンズであることを特徴とする。
【００１４】
請求項６に記載の発明は、請求項１に記載の発明に於いて、上記第２の保持部材は、上記光学フィルタを保持する端部とは反対側の端部で上記撮像素子を保持していることを特徴とする。
【発明の効果】
【００１５】
本発明によれば、基部と第１及び第２の延出部から成る断面を有する第１の保持部材で光学フィルタを保持し、更に、上記光学フィルタを保持する光学フィルタの被写体側の面と上記第２の保持部材の被写体側の面とが、略同一面となるようにしたので、光学フィルタを第２の保持部材に直接取り付けるのに比べ、光軸方向の長さを短くすることができ、電子的撮像装置本体の光軸方向の厚さを薄くすることができる。
【００１６】
特に、撮影レンズが沈胴式の電子的撮像装置に於いては、沈胴長を短くすることができるので、更なる顕著な効果を得ることができる。
【００１７】
また、第１の保持部材を薄板状の金属部材で形成することにより、上記効果を更に冗長させ、加えて光学フィルタを強固に保持することができる。
【発明を実施するための最良の形態】
【００１８】
以下、図面を参照して、本発明の実施形態を説明する。
【００１９】
（第１の実施の形態）
図３は、本発明の第１の実施の形態の構成を示すもので、（ａ）はレンズ鏡筒が沈胴状態のカメラの外観斜視図、（ｂ）はバリアが閉じられた状態のカメラの外観斜視図である。
【００２０】
このカメラは、カメラ本体１０の前面部に、カメラの電源オン、オフスイッチとなり、カメラの長手方向に沿って摺動自在なバリア１１が設けられている。そして、カメラ本体１０の前面部のほぼ中央部には、レンズ鏡筒１２が設けられている。図３（ａ）に示されるバリア１１が“開”の状態で、カメラの電源スイッチがオンとなり、レンズ鏡筒１２がカメラ本体１０の前方に繰り出される。一方、図３（ｂ）に示されるように、バリア１１が“閉”の状態では、レンズ鏡筒１２は繰り込まれて電源スイッチがオフとなる。
【００２１】
尚、カメラ本体１０の上面部には、カメラの操作スイッチであるレリーズ釦１３が設けられている。
【００２２】
図４は上記レンズ鏡筒１２の構成を示す分解斜視図であり、図５は図４のＣＣＤホルダ以降のＣＣＤユニットの部分を拡大して示した分解斜視図である。
【００２３】
このレンズ鏡筒１２は、その光学系の光軸方向に沿って、外周枠となる固定枠２１と、この固定枠２１内に収納されるようにして上記光軸に沿って回動自在な回転枠２２と、この回転枠２２内に収納されるように構成される直進枠２３を備えている。
【００２４】
上記固定枠２１の円環部の内周部には複数のカム溝が形成されており、このカム溝に回転枠２２の円環部の外周面上に形成された突起が係合することによって、回転枠２２が所定方向に回転しながら光軸方向に移動する。同様に、回転枠２２の円環の内周側にも複数のカム溝が形成されている。このカム溝には、直進枠２３の円環部の外周面上に形成された突起が係合する。これによって、直進枠２３が光軸方向に移動する。
【００２５】
尚、２０は固定枠２１の円環部の外周部に取付けられるロングギヤである。
【００２６】
また、上記直進枠２３内には１群レンズ２５を有した１群枠２４と、２群レンズ２７を有した２群枠２６が収納される。１群枠２４及び２群枠２６には、上記回転枠２２の円環部の内周面に形成されたカム溝と係合する突起が、それぞれ形成されている。そして、１群枠２４と２群枠２６が、固定枠２１に固定されたフロートキー２９に沿って、それぞれ１群レンズ２５、２群レンズ２７を有した撮影レンズの光軸方向に移動可能になっている。
【００２７】
光軸方向に於いて、上記フロートキー２９の後方には、後述する撮像素子であるＣＣＤ４０を取り付けて固定するための、第２の保持部材であるＣＣＤホルダ３０が位置される。このＣＣＤホルダ３０は、その中心部分に、図示されない被写体からの撮影光束を取り込むための光束通過領域としての開口３０ａが形成されると共に、外周部分に、固定枠２１にねじ３１によって締結するためのねじ穴が複数設けられている。
【００２８】
撮像素子であるＣＣＤ４０は、ＣＣＤプレート４１の中心部分に配設されている。そして、上記ＣＣＤホルダ３０の開口３０ａとＣＣＤ４０との間には、第１の保持部材であるローパスフィルタホルダ３５、絞り３６、光学部材（光学フィルタ）としてのローパスフィルタ３７、弾性部材であるＣＣＤゴム３８が、順次重なるようにして配される。この状態で、ＣＣＤプレート４１に形成されたねじ穴を介してねじ４３がＣＣＤホルダ３０の所定箇所に締結される。尚、上記ローパスフィルタ３７はＣＣＤ４０の撮像面に対応して長方形状に構成されている。また、ローパスフィルタホルダ３５、絞り３６、ＣＣＤゴム３８は、ＣＣＤ４０の撮像面に対応して、それぞれ光束通過領域である長方形状の開口３５ａ、３６ａ、３８ａを有している。
【００２９】
尚、図３及び図４には、ＣＣＤゴム３８とＣＣＤ４０間に配されているシール部材は示されていない。
【００３０】
図１は、レンズ鏡筒の構成を示す断面図であって、沈胴状態を示している。また、図２は図１のＣＣＤユニット部分を拡大して示した断面図である。
【００３１】
ＣＣＤプレート４１上に配設されたＣＣＤ４０上には、該ＣＣＤ４０とローパスフィルタ３７との間を封止するべくシール部材３９が配されている。更に、このシール部材３９上には、上記開口を有したＣＣＤゴム３８及びローパスフィルタ３７が配されている。
【００３２】
上記ローパスフィルタ３７は、ＣＣＤホルダ３０の開口縁部３０ｂとの間で係合するローパスフィルタホルダ３５によって保持されている。このローパスフィルタホルダ３５は、例えば図１及び図２に示されるように、断面が板状の金属製部材が、少なくとも２つの屈曲部を有するクランク状に形成されている。
【００３３】
すなわち、このローパスフィルタホルダ３５は、上述した撮影レンズの光軸と略平行な基部３５ｂと、この基部３５ｂの一端から上記撮影レンズの光軸と垂直な方向であって、当該撮影レンズの光軸から離れる方向へ延出された第１の延出部３５ｄと、上記基部３５ｂの他端から上記撮影レンズの光軸と垂直な方向であって、当該撮影レンズの光軸の方向へ延出された第２の延出部３５ｃと、から構成されている。そして、クランク状のローパスフィルタホルダ３５の第１の延出部３５ｄが、ＣＣＤ４０側の面で、ローパスフィルタ３７上に配設された絞り３６と当接し、第２の延出部３５ｃが、ＣＣＤ４０とは反対側の面で、ＣＣＤホルダ３０の開口縁部３０ｂと当接するようになっている。
【００３４】
また、ＣＣＤホルダ３０の開口縁部３０ｂのレンズ側の端面と、ローパスフィルタ３７のレンズ側端面は、略同一面となる近接した位置にある。そして、ローパスフィルタホルダ３５の開口３５ａは、ＣＣＤホルダ３０の開口３０ａよりも小さく形成されている。
【００３５】
更に、この状態で、ローパスフィルタ３７は、ＣＣＤゴム３８の弾性力によって図示されない被写体側（ＣＣＤ４０とは反対側）に押圧されている。これにより、ローパスフィルタ３７は、ローパスフィルタホルダ３５の端部３５ｂに押圧される。こうして、ローパスフィルタ３７は、係合するローパスフィルタホルダ３５及びＣＣＤホルダ３０の開口縁部３０ｂによって保持されて固定される。
【００３６】
上記ＣＣＤゴム３８は、ＣＣＤ４０の撮像面に塵埃等が進入するのを防止するために設けられている。このＣＣＤゴム３８は、上述したように、ＣＣＤ４０の撮像面に対応して開口３８ａを有しており、該開口３８ａを構成する枠体の部分は、ＣＣＤ４０に密閉するように配されている。
【００３７】
また、上記ローパスフィルタホルダ３５は遮光性を有する金属製部材で構成されるもので、これにより、従来ホルダの縁部で発生していた被写体光束の反射によるゴーストの発生を低減することができる。
【００３８】
尚、図１に於いて４５は、ＡＦ測距時にレンズ鏡筒を光軸方向に移動させて測距を行わせるためのＡＦモータである。
【００３９】
図６は広角（ＷＩＤＥ；ワイド）時のレンズ鏡筒の状態を示した断面図であり、図７は望遠（ＴＥＬＥ；テレ）時の鏡筒レンズの状態を示した断面図である。
【００４０】
これらの広角、望遠の操作は、カメラ本体に設けられている図示されないズーム釦によって行われる。図６からわかるように、ワイド端では１群レンズ２５と２群レンズ２７が離間して配置された状態となる。一方、図７に示されるように、テレ端では１群レンズ２５と２群レンズ２７とは隣接して配置された状態となる。
【００４１】
このように、第１の実施の形態によれば、光学素子であるローパスフィルタを固定するためのローパスフィルタホルダの固定部材として、断面が薄い板状の金属製部材を使用して、ＣＣＤホルダ３０の開口縁部３０ｂのレンズ側の端面と、ローパスフィルタ３７のレンズ側端面を、略同一面となる近接した位置に配置している。したがって、レンズ鏡筒の光軸方向の厚さを薄くすることができ、それ故、沈胴長を短くすることができる。加えて、ゴーストの発生を抑えることができる。
【００４２】
（第２の実施の形態）
次に、本発明の第２の実施の形態を説明する。
【００４３】
図８は、本発明の第２の実施の形態の構成を示すもので、沈胴状態のレンズ鏡筒の構成を示す断面図、図９は図８のＣＣＤユニット部分を拡大して示した断面図である。
【００４４】
尚、この第２の実施形態に於けるカメラの構成及び動作は、基本的に図１乃至図７に示された第１の実施形態と同様であり、同一の部分には同一の参照番号を付してその図示及び説明は省略する。
【００４５】
ＣＣＤプレート４１上に配設されたＣＣＤ４０上には、シール部材３９と、開口を有したＣＣＤゴム３８及びローパスフィルタ３７が配されている。
【００４６】
上記ローパスフィルタ３７は、ＣＣＤホルダ３０の開口縁部３０ｂとの間で係合するローパスフィルタホルダ４６によって保持されている。このローパスフィルタホルダ４６は、例えば図８及び図９に示されるように、断面が板状の金属製部材が折り曲げられた形状に形成されている。
【００４７】
すなわち、一方の端部４６ａが、ＣＣＤ４０側の面で、ローパスフィルタ３７上に配設された絞り３６と当接し、他方の端部４６ｂが、ＣＣＤ４０とは反対側の面で、ＣＣＤホルダ３０の開口縁部３０ｂと当接するようになっている。ここで、ＣＣＤホルダ３０の開口３０ａは、シール部材３９の長さよりも大きい寸法で形成されている。また、ＡＦモータ４５が配置されている側のＣＣＤホルダ３０には、該ホルダの開口縁部近傍に切欠き３０ｃが形成されている。この切欠き３０ｃは、レンズ鏡筒の沈胴時に、ＡＦモータ４５用の逃げ部として形成されている。
【００４８】
更に、この状態で、ローパスフィルタ３７は、ＣＣＤゴム３８の弾性力によって図示されない被写体側（ＣＣＤ４０とは反対側）に押圧されている。これにより、ローパスフィルタ３７は、ローパスフィルタホルダ４６の端部４６ａに押圧される。こうして、ローパスフィルタ３７は、係合するローパスフィルタホルダ４６及びＣＣＤホルダ３０の開口縁部３０ｂによって保持されて固定される。
【００４９】
このように、第２の実施の形態によれば、ＣＣＤホルダ３０にＡＦモータ４５用の切欠き３０ｃを形成したので、上述した第１の実施の形態よりも更に、レンズ鏡筒の光軸方向の厚さを薄くすることができる。
【００５０】
以上、本発明の実施形態について説明したが、本発明は上述した実施形態以外にも、本発明の要旨を逸脱しない範囲で種々の変形実施が可能である。
【図面の簡単な説明】
【００５１】
【図１】レンズ鏡筒の構成を示すもので、沈胴状態を示す断面図である。
【図２】図１のＣＣＤユニット部分を拡大して示した断面図である。
【図３】本発明の第１の実施の形態の構成を示すもので、（ａ）はレンズ鏡筒が沈胴状態のカメラの外観斜視図、（ｂ）はバリアが閉じられた状態のカメラの外観斜視図である。
【図４】レンズ鏡筒１２の構成を示す分解斜視図である。
【図５】図４のＣＣＤホルダ以降のＣＣＤユニットの部分を拡大して示した分解斜視図である。
【図６】広角（ＷＩＤＥ；ワイド）時のレンズ鏡筒の状態を示した断面図である。
【図７】望遠（ＴＥＬＥ；テレ）時の鏡筒レンズの状態を示した断面図である。
【図８】本発明の第２の実施の形態の構成を示すもので、沈胴状態のレンズ鏡筒の構成を示す断面図である。
【図９】図８のＣＣＤユニット部分を拡大して示した断面図である。
【図１０】従来の光学素子の保持機構の構成例を示した断面図である。
【符号の説明】
【００５２】
１０…カメラ本体、１２…レンズ鏡筒、２１…固定枠、２２…回転枠、２３…直進枠、２４…１群枠、２５…１群レンズ、２６…２群枠、２７…２群レンズ、２９…フロートキー、３０…ＣＣＤホルダ、３５…ローパスフィルタホルダ、３５ａ…開口、３５ｂ…基部、３５ｃ…第２の延出部、３５ｄ…第１の延出部、３６…絞り、３７…ローパスフィルタ、３８…ＣＣＤゴム、３９…シール部材、４０…ＣＣＤ、４１…ＣＣＤプレート、４５…ＡＦモータ。
【図１】
2006067356.tif 000003
【図２】
2006067356.tif 000004
【図３】
2006067356.tif 000005
【図４】
2006067356.tif 000006
【図５】
2006067356.tif 000007
【図６】
2006067356.tif 000008
【図７】
2006067356.tif 000009
【図８】
2006067356.tif 000010
【図９】
2006067356.tif 000011
【図１０】
2006067356.tif 000012